(57)【要約】      （修正有）【課題】簡単な構造からなり、詰替え操作が容易で、詰替え操作時に内容物が溢れたりすることのない、ワンタッチ開封詰め替え容器を提供する。【解決手段】注出用ノズルを備えた剛性容器に、内容物を補充するために用いる詰替え容器であって、詰替え容器本体４と、口栓１を有し、該口栓１は、詰替え容器本体４を固着するためのスリーブ２と、前記剛性容器の注出用ノズルを挿入可能なスパウト３と、詰替え容器を密封するシール板５を有し、内容物を流出させる際の流量を規制する流量規制手段６を有することを特徴とする詰替え容器である。【選択図】図１
2010215282.tif 000002
【特許請求の範囲】
【請求項１】
注出用ノズルを備えた剛性容器に、内容物を補充するために用いる詰替え容器であって、詰替え容器本体と、口栓を有し、該口栓は、詰替え容器本体を固着するためのスリーブと、前記剛性容器の注出用ノズルを挿入可能なスパウトと、詰替え容器を密封するシール板を有し、内容物を流出させる際の流量を規制する流量規制手段を有することを特徴とする詰替え容器。
【請求項２】
前記流量規制手段は、前記口栓に、前記スパウトよりも開口径を絞るように設けた流量規制孔であることを特徴とする請求項１に記載の詰替え容器。
【請求項３】
前記流量規制孔は、口栓のスリーブに設けたものであることを特徴とする請求項２に記載の詰替え容器。
【請求項４】
前記流量規制手段は、前記詰替え容器本体に設けた流量規制シールであることを特徴とする請求項１に記載の詰替え容器。
【請求項５】
前記シール板は、前記剛性容器の注出用ノズル先端によって、容易に破断する薄膜であることを特徴とする請求項１〜４のいずれか１項に記載の詰替え容器。
【請求項６】
前記シール板は、口栓の一部と一体に成形され、周囲に開封用スコアを有することを特徴とする請求項１〜４のいずれか１項に記載の詰替え容器。
【請求項７】
前記シール板は、口栓の中心軸に対して傾斜して設けられていることを特徴とする請求項６に記載の詰替え容器。
【請求項８】
前記スパウトは、前記剛性容器の注出用ノズルが嵌合する断面形状を有することを特徴とする請求項１〜７のいずれか１項に記載の詰替え容器。
【請求項９】
前記スパウトを覆うオーバーキャップを有することを特徴とする請求項１〜８のいずれか１項に記載の詰替え容器。
【発明の詳細な説明】
【技術分野】
【０００１】
本発明は、液体洗剤、柔軟剤などのトイレタリー用品や、食用油、インスタントコーヒーなどの食品の詰め替え容器に関し、詰替え操作の容易な、ワンタッチ詰替え容器に関するものである。
【背景技術】
【０００２】
液体洗剤などの容器は、洗剤を使用する時にその都度適切な量を計量して取り出す必要があるため、軽量カップに注ぎやすいように、注出口にノズルを備えた剛性のあるプラスチック容器が、繰り返し使用容器として用いられている。この容器に対して、内容物を補充するための詰め替え用の容器としては、軟包装フィルムからなる柔軟な容器に、注出口を形成した容器や、口栓を取付けた容器が一般的に使用されている。
【０００３】
これら繰り返し使用する剛性の容器は、もっぱら注出し易いように設計されているため、繰り返し使用する容器に対して、詰替え容器から内容物を補充する詰替え操作の利便性を考慮したものでは、必ずしもなかった。
【０００４】
繰り返し使用する容器に設けられたノズルを利用して、詰替え容器の開封を行うことができ、さらに詰替え中に、詰替え容器が自立するために、手で保持しなくてもよい詰替え容器が提案されている。この手放し詰め替え容器は、繰り返し使用容器の開口部に着脱可能かつ脱落不能に連結される結合部材と、詰め替え容器本体を密封する容器密封部材とを備えた詰め替え容器である（特許文献１参照）。
【先行技術文献】
【特許文献】
【０００５】
【特許文献１】特開2004-99082号公報
【発明の概要】
【発明が解決しようとする課題】
【０００６】
特許文献１に記載された詰め替え容器は、繰り返し使用容器と詰め替え容器を結合するために、口栓部に、結合部材と容器密封部材という２つの部材を用いているため、容器のコストが高いものとならざるを得ない。また詰め替え容器を、繰り返し使用容器の開口部にねじ込んで使用する構造であるため、両者の結合は確実であるが、反面、操作が面倒であるばかりでなく、口栓のコスト面においても不利であるという欠点があった。
【０００７】
一方、繰り返し使用する剛性容器のノズルは、使いやすいようにある程度の大きさが必要であるため、これに嵌合する口栓をもった詰替え容器の口栓もまた、相当の大きさを持ったものとならざるを得ないが、詰替え操作に当たっては、大口径の口栓から一度に大量の内容物が流出して、繰り返し使用容器に入りきらず、容器の外側に溢れたりするという問題があることが分かった。
【０００８】
本発明の解決しようとする課題は、簡単な構造からなり、詰替え操作が容易で、詰替え操作時に内容物が溢れたりすることのない、ワンタッチ開封詰め替え容器を提案するものである。
【課題を解決するための手段】
【０００９】
上記の課題を解決するための手段として、請求項１に記載の発明は、注出用ノズルを備えた剛性容器に、内容物を補充するために用いる詰替え容器であって、詰替え容器本体と
、口栓を有し、該口栓は、詰替え容器本体を固着するためのスリーブと、前記剛性容器の注出用ノズルを挿入可能なスパウトと、詰替え容器を密封するシール板を有し、内容物を流出させる際の流量を規制する流量規制手段を有することを特徴とする詰替え容器である。
【００１０】
また、請求項２に記載の発明は、前記流量規制手段が、前記口栓に、前記スパウトよりも開口径を絞るように設けた流量規制孔であることを特徴とする請求項１に記載の詰替え容器である。
【００１１】
また、請求項３に記載の発明は、前記流量規制孔が、口栓のスリーブに設けたものであることを特徴とする請求項２に記載の詰替え容器である。
【００１２】
また、請求項４に記載の発明は、前記流量規制手段が、前記詰替え容器本体に設けた流量規制シールであることを特徴とする請求項１に記載の詰替え容器である。
【００１３】
また、請求項５に記載の発明は、前記シール板が、前記剛性容器の注出用ノズル先端によって、容易に破断する薄膜であることを特徴とする請求項１〜４のいずれか１項に記載の詰替え容器である。
【００１４】
また、請求項６に記載の発明は、前記シール板が、口栓の一部と一体に成形され、周囲に開封用スコアを有することを特徴とする請求項１〜４のいずれか１項に記載の詰替え容器である。
【００１５】
また、請求項７に記載の発明は、前記シール板が、口栓の中心軸に対して傾斜して設けられていることを特徴とする請求項６に記載の詰替え容器である。
【００１６】
また、請求項８に記載の発明は、前記スパウトが、前記剛性容器の注出用ノズルが嵌合する断面形状を有することを特徴とする請求項１〜７のいずれか１項に記載の詰替え容器である。
【００１７】
また、請求項９に記載の発明は、前記スパウトを覆うオーバーキャップを有することを特徴とする請求項１〜８のいずれか１項に記載の詰替え容器である。
【発明の効果】
【００１８】
本発明に係る詰替え容器は、詰替え容器本体と、口栓を有し、該口栓は、詰替え容器本体を固着するためのスリーブと、繰り返し使用する剛性容器の注出用ノズルを挿入可能なスパウトと、詰替え容器を密封するシール板を有するので、詰替え容器を倒立させ、スパウトに剛性容器の注出用ノズルを挿入するように押し込むことにより、シール板がノズルによって自動的に開封され、内容物が剛性容器に移動する。この時、内容物を流出させる際の流量を規制する流量規制手段を設けたので、大量の内容物が一時に流出して溢れるようなことがない。この時の流量は、詰替え容器に設けた流量規制手段によって決められるので、詰替え操作をする個人による差がなく、誰が詰替え操作を行っても安全に実行できる。
【００１９】
また、前記流量規制手段が、口栓に、スパウトよりも開口径を絞るように設けた流量規制孔である場合には、口栓の変更だけで、従来の詰替え容器本体をそのまま使用することができる。また、この流量規制孔は、口栓のスリーブ部分に設けることにより、内容物の排出が円滑になり、最後の一滴まで排出できる。またスリーブの肉厚が厚くなるので、スリーブに詰替え容器本体を熱融着する場合のスリーブの強度も確保できる。
【００２０】
また、前記流量規制手段が、前記詰替え容器本体に設けた流量規制シールである場合には、従来の口栓と従来の容器本体をそのまま使用し、容器本体に流量規制シールを新たに施すだけの極めて簡単な手段により、本発明の目的を達することができる。
【００２１】
また、前記シール板が、前記剛性容器の注出用ノズル先端によって、容易に破断する薄膜である場合には、ノズル先端の形状を選ばず、近年製品安全の立場から、ノズル先端を尖らせずフラットにした製品が多くなっているが、このような剛性容器に対しても、適用できる。
【００２２】
また、前記シール板が、口栓の一部と一体に成形され、周囲に開封用スコアを有する構造である場合には、口栓の部品点数が削減され、低コストに製品を供給することができる。またさらに、このシール板が、口栓の中心軸に対して傾斜して設けられている場合には、詰替え容器を倒立させて、スパウトに剛性容器の流出用ノズルを挿入した時、剛性容器の流出用ノズルは、シール板が最も高くなっている位置に、始めに押し当てられるため、必ずこの１点から開封用スコアが破れて開封が始まり、開封がスムーズに進行する。前述したような先端がフラットのノズル形状を有する剛性容器に対しても、スコアの破断による開封が円滑に行われる。
【００２３】
また、前記スパウトが、前記剛性容器の注出用ノズルが嵌合する断面形状を有するものである場合には、詰替え操作において、詰替え容器を注出用ノズルに差込んで倒立させた時、ぐらぐらせずに安定して倒立するので、誰でも安全に詰替え作業を実施できる。
【００２４】
また、詰替え容器用口栓が、スパウトを覆うオーバーキャップを有する場合には、スパウトの内部にほこりが進入するのを防ぐことができる。またオーバーキャップをねじで固定するようにした場合には、使い残しを密封して安全に保存することもできる。
【図面の簡単な説明】
【００２５】
【図１】本発明に係る詰替え容器の一実施態様を示した断面説明図である。
【図２】本発明に係る詰替え容器の他の実施態様を示した断面説明図である。
【図３】図１、図２に示した詰替え容器に用いた口栓の断面模式図であり、図４のＡＡ断面を示したものである。
【図４】図３に示した口栓の平面模式図である。
【図５】図３に示した口栓から剛性容器への詰替え操作を示した断面説明図である。
【図６】本発明に係る詰替え容器に用いる口栓の他の実施態様を示した断面模式図であり、図７のＢＢ断面を示したものである。
【図７】図６に示した口栓の平面模式図である。
【図８】本発明に係る詰替え容器の他の実施態様を示した断面模式図である。
【図９】本発明に係る詰替え容器の他の実施態様を示した断面模式図である。
【図１０】本発明に係る詰替え容器に用いる口栓の他の実施態様を示した断面模式図である。
【発明を実施するための形態】
【００２６】
以下図面に従って、本発明に係る詰替え容器について詳細に説明する。図１、図２は、本発明に係る詰替え容器の実施態様の例を示した断面説明図である。本発明に係る詰替え容器は、詰替え容器本体４と、口栓１を有し、口栓１は、詰替え容器本体４を固着するためのスリーブ２と、繰り返し使用する剛性容器の注出用ノズルを挿入可能なスパウト３と、詰替え容器を密封するシール板５を有し、内容物を流出させる際の流量を規制する流量規制手段を有することを特徴とする。図１、図２に示した実施態様においては、この流量規制手段として、口栓１のスリーブ２に設けた流量規制孔６が設けられている。流量規制孔６は、流路の断面積をスパウト３の断面積よりも小さくして、内容物の流路を絞ったものである。詰替え容器本体４が、図１、図２のように軟包装袋である場合には、内容物を流出させた時、容器本体が萎むので、排出口である口栓１のスパウト３の内径が大きいと、一度に大量の内容物が流出して、繰り返し使用する剛性容器の外に溢れ出ることがある。本発明に係る詰替え容器に使用する口栓のスパウト３は、繰り返し使用する剛性容器のノズルが挿入可能な程度に内径が大きいので、流量規制孔６は、このような一時に大量の内容物が流出するのを防止する効果を有する。
【００２７】
図１、図２に示した詰替え容器の容器本体４は、底部に底面フィルムを有するいわゆるスタンディングパウチである。図１の詰替え容器では、口栓１がパウチの最上部に設けられているが、図２の詰替え容器では、口栓１がパウチの上コーナー部に設けられている。これら２つの詰替え容器に用いられている口栓１は、同じものである。口栓１と容器本体４の固着方法としては、口栓１のスリーブ２を容器本体４の開口部に挿入し、熱融着することによって固着するのが一般的である。この時、スリーブ２に流量規制孔６が設けられたことにより、流量規制孔がなく、内径がスパウト３と同径の場合よりもスリーブ２の肉厚は厚くなるので、スリーブ２の圧縮強度は高まり、熱融着作業は、安定する。
【００２８】
図３は、図１、図２に示した詰替え容器に用いた口栓の断面模式図であり、図４のＡＡ断面を示したものである。図４は、図３に示した口栓の平面模式図である。
【００２９】
本発明に係る詰替え容器に用いる口栓１は、詰替え容器本体を固着するためのスリーブ２と、繰り返し使用する剛性容器の注出用ノズルを挿入可能なスパウト３と、詰替え容器を密封するシール板５を有し、内容物を流出させる際の流量を規制する流量規制手段を有する詰替え容器用口栓である。この実施態様においては、流量規制手段として流量規制孔６がスリーブ２に設けられている。流量規制孔６の断面積は、スパウト３の断面積よりも小さくなるように内径が絞られている。またスリーブ２のブロックとスパウト３のブロックとは、別の部品として製作され、スリーブ２のブロックにシール板５を取付けた後、スパウト３のブロックをねじこんで一体に固定するようになっている。
【００３０】
それぞれのブロックは、ポリエチレン樹脂、ポリプロピレン樹脂、ポリエステル樹脂等の熱可塑性樹脂を用いて、インジェクション成型法によって１回の成型で成形することができる。また、シール板５としては、後述する繰り返し使用する剛性容器のノズル先端によって、容易に破断するような材質である必要がある。具体的には、アルミニウム箔と熱可塑性樹脂フィルムの複合材などが使用される。
【００３１】
図４は、図３に示した口栓の平面模式図である。スリーブ２は、詰替え容器本体の軟包装フィルムを融着しやすいように、三角形状となっている。図３、図４には図示されていないが、スリーブ２の詰替え容器本体が接する面には、複数のリブを設けて、熱融着しやすいようにするとよい。
【００３２】
図５は、図３に示した口栓から剛性容器への詰替え操作を示した断面説明図である。図では、詰替え容器本体は、省略してある。繰り返し使用する剛性容器本体１０に取付けら
れたノズルキャップ１１には、ノズル１２ノズルスリット１４が設けられている。この容器に対して、内容物を補充するために、詰替え容器を倒立させ、ノズル１２に、詰替え容器の口栓１のスパウト３を被せるように挿入する。この時、ノズルの先端１３は、シール板５に突き当たり、シール板５を破断することにより、詰替え容器内の内容物が、内容物流入方向を示した矢印７のように、流出して剛性容器本体１０に移動する。この時、内容物は、スリーブ２に設けられた流量規制手段である流量規制孔６によって流量を規制されるので、剛性容器のノズルキャップ１１から溢れ出ることはない。
【００３３】
図６は、本発明に係る詰替え容器に用いる口栓の他の実施態様を示した断面模式図であり、図７のＢＢ断面を示したものである。図７は、図６に示した口栓の平面模式図である。この実施態様においては、口栓１は、スリーブ２とスパウト３とシール板５とを一体として成形したブロックと流量規制ブロック１５の２つのブロックから構成されている。流量規制ブロック１５には、流量規制孔６とスリット９が設けられている。この口栓１においては、シール板５が、口栓１の中心軸に対して傾斜して設けられており、シール板５の外縁部には、開封用スコア８が設けられている。図７に示されたように、この実施態様においては、口栓１のスパウト３が、剛性容器の注出用ノズルが嵌合する断面形状を有しているので、詰替え操作の際に、口栓１を剛性容器の注出用ノズルに挿入する際、ぐらぐらせず、ぴったり挿入できるため、使い勝手が良い。また、開封用スコア８の破断によって生じる詰替え容器の開口部は、ノズル１２とぴったり合う形状であり、さらにこの外側に、スパウト３が覆うように存在するので、詰替え操作の際に、内容物がこぼれたり、飛び散ったりすることがない。
【００３４】
シール板５が傾斜しているために、詰替え容器を倒立させて、スパウト３に剛性容器の注出用ノズル１２を挿入した時、剛性容器の注出用ノズル１２は、シール板５が最も高くなっている位置に、始めに押し当てられるため、必ずこの１点から開封用スコア８が破れて開封が始まり、開封がスムーズに進行する。このため、剛性容器の注出用ノズルの先端１３がとがっていなくて平坦であっても、容易に開封が始まる。
【００３５】
図６に示した口栓は、流量規制ブロック１５が、スリーブ２の下部すなわち、詰替え容器本体４の内部に存在することになるので、口栓１の容器外に突出する部分が小さくなるという効果を有する。しかし詰替え容器を倒立させて、詰替え操作を行う時、流量規制ブロック１５の高さに相当する内容物が排出できなくなるので、これを防止するためスリット９を設けて、このスリット９を経由して最後の内容物が排出されるようにしたものである。流量規制ブロック１５をスリーブ２とスパウト３とシール板５とを一体として成形したブロックに接合するには、超音波溶着法が適している。
【００３６】
図８、図９は、本発明に係る詰替え容器の他の実施態様を示した断面模式図である。図８、図９に示した詰替え容器は、流量規制手段を口栓１に設けず、詰替え容器本体４に設けた流量規制シール１７によって、流出量を規制したことを特徴とする。流量規制シール１７は、容器の周縁のシールと同様のシール部を、容器本体の注出口付近に設けたものであり、この形状や個数については特に制約はない。内容物の粘性に応じて適宜設計すればよい。容器本体の注出口付近に流量規制シールが１個でも存在すると、注出口の開口が大きく制限されるので、流量を規制する効果は大きい。
【００３７】
図８、図９に示された詰替え容器は、口栓１に流量規制手段を設けないため、口栓１の構造が簡単になり、例えば図９に示された詰替え容器の口栓は、図６に示した口栓の上半分のブロックに相当するので、１体の成形品として成形することが可能である。
【００３８】
図１０は、本発明に係る詰替え容器に用いる口栓の他の実施態様を示した断面模式図である。この実施態様においては、図３に示した口栓１のスパウト３にオーバーキャップ１
６が装着されている。このように口栓１がスパウト３を覆うオーバーキャップ１６を有する場合には、口栓の内部にほこりが進入するのを防ぐことができる。また図示しないが、オーバーキャップ１６をねじで固定するようにした場合には、使い残しを密封して安全に保存することもできる。
【００３９】
このように、本発明に係る詰替え容器用口栓を用いた詰替え容器は、繰り返し使用する剛性容器のノズル部分に、詰替え容器のスパウトを挿入して押し込むだけの極めて簡単な操作によって詰め替えが完了するものであり、また押し込む力も、強い力を必要としないので、誰にでも、簡単に失敗なく、詰替え操作が可能である。本発明に係る詰替え容器は、液体洗剤、柔軟剤などのトイレタリー用品や、食用油、インスタントコーヒーなどの食品等、繰り返し使用する剛性容器に内容物を補充するための詰替え容器として、使用することができる。
【符号の説明】
【００４０】
１・・・口栓
２・・・スリーブ
３・・・スパウト
４・・・詰替え容器本体
５・・・シール板
６・・・流量規制孔
７・・・内容物流入方向を示した矢印
８・・・開封用スコア
９・・・スリット
１０・・・剛性容器本体
１１・・・ノズルキャップ
１２・・・ノズル
１３・・・ノズル先端
１４・・・ノズルスリット
１５・・・流量規制ブロック
１６・・・オーバーキャップ
１７・・・流量規制シール
【図１】
2010215282.tif 000003
【図２】
2010215282.tif 000004
【図３】
2010215282.tif 000005
【図４】
2010215282.tif 000006
【図５】
2010215282.tif 000007
【図６】
2010215282.tif 000008
【図７】
2010215282.tif 000009
【図８】
2010215282.tif 000010
【図９】
2010215282.tif 000011
【図１０】
2010215282.tif 000012